【事件の表示】
　特願２００２−２１８７６９「インクジェット記録装置の吸引キャップ及びパージ装置」拒絶査定不服審判事件〔平成１６年　２月２６日出願公開、特開２００４−　５８４１７〕について、次のとおり審決する。
【結　論】
　本件審判の請求は、成り立たない。
【理　由】
１　手続の経緯・本願発明
（１）手続の経緯
　本願は、平成１４年７月２６日の出願であって、平成１７年４月２１日に手続補正がなされ、平成１９年４月２０日付けで拒絶査定がなされ、これに対し、同年５月２４日に拒絶査定不服審判が請求されるとともに、同年６月２１日に手続補正がなされ、当審において、平成２１年１１月２４日付けで拒絶の理由（以下「当審拒絶理由」という。）が通知され、平成２２年２月１日付けで手続補正がなされたものである。
　
（２）本願発明
　本願の請求項に係る発明は、平成２２年２月１日付け手続補正後の明細書及び図面の記載からみて、その特許請求の範囲の請求項１ないし６に記載された事項により特定されるとおりのものであると認められるところ、請求項１に係る発明は次のものである。 
　
「印字ヘッドのインク吐出口を密閉する凹部を有し、インク吸引を実行するとともに、受け取ったインクを排出するためのインク排出口を備える、弾性体からなる吸引キャップであって、
　前記凹部内に係合可能であるとともに、所定の長さの通路を備える樹脂製のインク誘導部材を備えており、
当該インク誘導部材は、その上面の幅方向中央部で、且つ長さ方向に一体に立設された補強リブを備え、
　該インク誘導部材がこの吸引キャップの凹部内に係合されるとき、前記補強リブは前記凹部内で前記印字ヘッドに対向する方向に突出するとともに、前記通路は前記インク排出口に連なる吸引通路をこの吸引キャップとの間に形成することを特徴とするインクジェット記録装置の吸引キャップ。」（以下「本願発明」という。）
　
２　刊行物の記載事項
（１）当審拒絶理由に引用した「本願の出願前に頒布された刊行物である特開平１０−２６４４０２号公報（以下「引用例１」という。）」には、図とともに次の事項が記載されている。ただし、図において符号３で示されている要素についての記載である「インク供給口」の表記は、明らかに「インク吸引口」の誤記であるから、この誤記を訂正した上で摘記した。
　
　ア　「【特許請求の範囲】
【請求項１】 
インクを吐出するノズル開口を備えた記録ヘッドのノズルプレートに密着する弾性材料からなるキャップ部材を枠体に収容し、前記キャップ部材に前記ノズル開口からインクを排出させる負圧を供給するインク吸引口を備えたキャッピング装置において、前記キャップ部材に前記キャップの底面と前記キャップの開口面との間に前記キャップ部材の長手方向の圧力分布を調整する複数の通孔を有する有孔板を収容したインクジェット式記録ヘッドのキャッピング装置
…（略）…
【請求項７】 前記有孔板が
その前記キャップ部材側に支持部を有
【請求項８】 前記有孔板が、
その周縁を前記キャップ部材に形成された固定部により固定され
…（略）…
【請求項１０】 
前記キャップ部材が、前記インク吸引口と一定の距離を隔てて選択的に大気に連通する大気開放口を有する
【請求項１１】 
前記インク吸引口と前記大気開放口が、前記キャップ部材の長手方向の対角点に位置するように配置され
　
　イ　「【０００１】
【発明の属する技術分野】本発明は、
インクジェット式記録ヘッドのノズル開口を封止して
負圧を作用させるキャッピング装置
【０００２】
【従来の技術】インクジェット式記録ヘッドは、圧力発生室のインクを加圧してノズル開口からインク滴を吐出させて記録を行なう関係上、ノズル開口近傍のインク溶媒が蒸発したり、また記録ヘッド内に気泡が停滞すると、インク滴の吐出不良が生じるため、キャッピング装置により記録ヘッドを封止し、吸引ポンプによりノズル開口に負圧を作用させて、ノズル開口から強制的にインクを排出させ、もってノズル開口の近傍で増粘しているインクや、また圧力発生室に停滞している気泡をキャッピング装置に排出させる手段が必須となる。
【０００３】一方、印刷速度の高速化や、カラー印刷の高品質化の要求に対応するため、記録ヘッドを構成するノズル開口の数の増大を招き、結果として記録ヘッドが長大化してきている。このため、記録ヘッドを封止するキャッピング装置のキャップ部材も必然的に長大化し、吸引ポンプに連通するインク吸引口とノズル開口との距離により作用する負圧に大きなアンバランスが生じ、記録ヘッドを構成している全てのノズル開口から均一にインクを排出させることが困難になってきている。
【０００４】
【発明が解決しようとする課題】このような問題をいくぶんでも解消するために、たとえば特開平7-195712号公報に見られるようにインク吸引口からの距離に対応させて、排出されたインクを誘導する部材の流路抵抗を積極的に変更する流れ規制板を挿入したり、また特開平7-290723号公報に見られるようにキャップ部材に排出されたインクを、飛散を招くことなく速やか、かつ確実に外部に排出するために、大気連通孔を設けたキャッピング装置等が提案されているが、これらはいずれも長大化したキャッピング装置のインクを外部に確実に排出することを目的とするものであって、ノズル開口に作用する負圧までは調整できないため、全てのノズル開口から均一にインクを吐出させることができないという問題を依然として抱えている。
【０００５】本発明はこの様な問題に鑑みてなされたものであって、その目的とするところは記録ヘッドに負圧を作用させて記録ヘッドのノズル開口からインクを強制的に排出させる際に、ノズル開口に均一に負圧を作用させることができるインクジェット式記録ヘッドのキャッピング装置を提供することである。
【０００６】
【課題を解消するための手段】このような問題を解消するために本発明においては、インクを吐出するノズル開口を備えた記録ヘッドのノズルプレートに密着する弾性材料からなるキャップ部材を枠体に収容し、前記キャップ部材に前記ノズル開口からインクを排出させる負圧を供給するインク吸引口を備えたキャッピング装置において、前記キャップ部材に前記キャップの底面と前記キャップの開口面との間に前記キャップ部材の長手方向の圧力分布を調整する複数の通孔を有する有孔板を収容して、ノズル開口に作用する負圧を調整するようにした。」
　
　ウ　「【０００７】
【発明の実施の形態】そこで以下に、本発明の詳細を図示した実施例に基づいて説明する。図１（イ）乃至（ニ）は、それぞれ本発明の一実施例を示すものであって、キャッピング装置は、基台との取付け部材となる枠体１に耐インク性と弾性を備えたブチルゴム等の射出成形で形成されたキャップ部材２を挿入して、略中央部の底面２ｃに外部の吸引ポンプに連通するインク吸引口３を設けて構成されている。
【０００８】キャップ部材２は、上面に記録ヘッドのノズルプレートに密着する襞２ａが形成され、またインク吸引口３の外面には接続用の管部２ｂが一体に形成され、また枠体１は、底面に管部２ｂを収容して、吸引ポンプと接続するチューブに接続される接続管部１ａが形成されている。
【０００９】４は、本発明が特徴とする有孔板で、外周がキャップ部材２の内周に気密的に弾接するようにキャップ部材２に、キャップの底面２ｃに平行に収容されている。有孔板４は、インク吸引口３からの距離に応じて密度が大きくなるように、同一内径の通孔５、５、５‥‥が穿設されており、また下面側の周縁にはキャップ部材２の底面２ｃに当接する支持部４ａ、４ｂが形成されている。
【００１０】
有孔板４は
撥水性材料により形成されて
【００１１】この実施例において、
キャップ部材２を記録ヘッドのノズルプレートに弾接させてキャッピングし、
吸引ポンプを作用させると、キャップ部材２の底面２ｃと有孔板４との空間６に負圧が作用し、有孔板４の通孔５、５、５‥‥を介してノズルプレートにも負圧が作用する
【００１２】通孔５、５、５‥‥はインク吸引口３からの距離に応じて大きくなる密度で存在するから、ノズル開口Ｎにはインク吸引口３からの距離に関りなく、一定の負圧が作用して全てのノズル開口Ｎから可及的に均一な流量でインクが排出される。
【００１３】有孔板４に排出されたインクは、有孔板４の表面の撥インク性により有孔板４をほとんど濡らすことがなく、通孔５、５、５‥‥を経由してインク吸引口３から外部に排出される。
…（略）…
【００１５】また、上述の実施例においては有孔板４を周縁でのみ支持しているが、図３（イ）に示したように裏面の中央部にも支持部４ｃ、４ｃを形成することにより、反りなどを防止することができ、また図３（ロ）に示したようにキャップ部材２の内面に溝２ｄを形成してここに周縁をはめ込んで支持させたり、さらに図３（ハ）に示したようにキャップ部材２の内面に突起２ｅ、２ｆを形成してこれにより支持させるようにしてもよい。
【００１６】さらに上述の実施例においては、通孔５の密度により流路抵抗を調整するようにしているが、図４に示したように通孔５、５、５‥‥を等間隔で形成する一方、その内径がインク吸引口３からの距離に応じて大きくなる通孔５’、５’、５’‥‥を形成してもよい。
…（略）…
【００１８】ところで、キャップが長大化すると、インク吸引口３から離れた位置のインクを外部に排出することが非常に困難となる。図６（イ）、（ロ）はこのような問題に対処するためのもので、インク吸引口から離れた位置にはキャップの外部で図示しない弁により大気に選択的に連通する大気開放口９が形成されている。
【００１９】この実施例によれば、
記録ヘッドからインクを排出させる場合には大気開放口９を閉鎖して、記録ヘッドに負圧を作用させる。インクの排出が終了した時点で大気開放口９を開放して、吸引ポンプの負圧を再び作用させると、記録ヘッドにインクの排出を招くような負圧を作用させることなく、キャップ部材２内に大気開放口９からインク吸引口３に向かう気流を生じさせてインクをインク吸引口３に移動させてより一層確実に排除することができる
【００２０】そして、インク吸引口３と大気開放口９とを図６（ロ）に示したように長手方向の対角点に配置するのが望ましい。…（略）…。」
　
　エ　「【００２１】
【発明の効果】以上、説明したように本発明においては、インクを吐出するノズル開口を備えた記録ヘッドのノズルプレートに密着する弾性材料からなるキャップ部材を枠体に収容し、キャップ部材に前記ノズル開口からインクを排出させる負圧を供給するインク吸引口を備えたキャッピング装置において、キャップ部材にキャップの底面とキャップの開口面との間にキャップ部材の長手方向の圧力分布を調整する複数の通孔を有する有孔板を収容したので、記録ヘッドの長さに関りなく、小数のインク吸引口からの負圧を全てのノズル開口に均等に作用するように調整することができ、全てのノズル開口から均一にインクを排出させることができる。」
　
　オ　図１（ニ）の記載と図１（ロ）、図３（ロ）、図３（ハ）、図６（イ）の記載を併せ見れば、有孔板４は、
その裏面に、その長手方向に長い所定の長さの通路が備
幅方向の両側寄りに長手方向に２列に
　
　カ　上記アないしオからみて、引用例１には、
「インクを吐出するノズル開口を備えた記録ヘッドのノズルプレートに密着してノズル開口を封止する弾性材料からなるキャップ部材を枠体に収容し、前記キャップ部材に前記ノズル開口からインクを排出させる負圧を供給するインク吸引口を備え、
　前記キャップ部材に前記キャップの底面と前記キャップの開口面との間に前記キャップ部材の長手方向の圧力分布を調整する複数の通孔を幅方向の両側寄りに長手方向に２列有するとともに裏面に長手方向に長い所定の長さの通路を備える有孔板を収容し、前記キャップ部材の底面と前記有孔板との間に空間を形成し、前記キャップ部材を記録ヘッドのノズルプレートに弾接させてキャッピングし吸引ポンプを作動させ前記空間に負圧を作用させて前記有孔板の通孔を介してノズルプレートにも負圧を作用させるインクジェット式記録ヘッドのキャッピング装置において、
　前記有孔板は、撥水性材料により形成されており、その前記キャップ部材側に支持部を有し、その周縁を前記キャップ部材に形成された固定部により固定されており、
　前記キャップ部材が、前記インク吸引口と一定の距離を隔てて選択的に大気に連通する大気開放口を有し、前記インク吸引口と前記大気開放口が、前記キャップ部材の長手方向の対角点に位置するように配置し、前記記録ヘッドからインクを排出させる場合には前記大気開放口を閉鎖して、前記記録ヘッドに負圧を作用させてインクを排出し、インクの排出が終了した時点で前記大気開放口を開放して、前記吸引ポンプの負圧を再び作用させて、前記記録ヘッドにインクの排出を招くような負圧を作用させることなく前記キャップ部材内に前記大気開放口から前記インク吸引口に向かう気流を生じさせてインクを前記インク吸引口に移動させてより一層確実に排除することができるインクジェット式記録ヘッドのキャッピング装置。」の発明（以下「引用発明１」という。）が記載されているものと認められる。
　
（２）同じく、当審拒絶理由で引用した「本願の出願前に頒布された刊行物である特開平９−１２３４６９号公報（以下「引用例２」という。）」には、図とともに次の事項が記載されている。
　
　ア　「【特許請求の範囲】
【請求項１】 
インクジェット記録ヘッドのインク吐出口を覆うためのキャップ本体と、該キャップ本体のインク吐出口側の内面に設けられ、必要に応じて前記インク吐出口内のインクを吸引するための吸引用開口、および前記キャップ本体内部を外部の圧力と同じにするための大気解放用開口を有するキャップを用いたインクジェット記録装置において、前記キャップの前記インク吐出口側内面に
突起を設けた
…（略）…
【請求項３】 前記キャップのインク吐出口側内面に設けられた前記突起の形状は、
断面が長方形
請求項１に記載
【請求項４】 前記キャップのインク吐出口側内面に設けられた長方形もしくは長円状の
前記突起は、キャップの長手方向に
形成され
請求項３に記載
　
　イ　「【０００６】
【発明が解決しようとする課題】…（略）…また、蒸気圧を高くするためには、空間容積を少なくすることが条件となるが、
空間容積を少なくするために深さの浅いキャップにすると吸引時にキャップが変形し
　
　ウ　「【００１４】
【発明の実施の形態】図１は、本発明によるインクジェットヘッド記録装置におけるインク吐出口のキャップの実施の形態を説明するための図で、図１（Ａ）はインク吐出口側からみた平面図、図１（Ｂ）は図１（Ａ）の矢視Ｂ−Ｂ線断面図であり、図中、１はキャップ，２はキャップ本体，３は突起，４は吸引側開口，５は大気開放側開口，６はインク，１０はホルダ，１１はガイドピンである。
【００１５】キャップ１は、キャップ本体２と突起３からなる弾性体であり、キャップ本体２は、インク吐出口（図示せず）側に面した外周がインク吐出面（図示せず）に密着してキャッピングを行うための同一高さで突起したキャップ外周壁２ａが設けられ、キャップ外周壁２ａの内側は凹部２ｂとなっており、キャップ外周壁２ａに囲まれた面積は、すべてのインク吐出口を覆うことができる大きさとなっている。一方、突起３は凹部２ｂ内全面に亘り複数設けられ、キャップ本体２のキャップ外周壁２ａの先端面より僅かに低い高さとなっている。
【００１６】また、キャップ本体２の凹部２ｂには、吸引側開口４および大気開放側開口５が離間して設けられており、外部に導出している。キャップ１は、吸引側開口４および大気開放側開口５を外部に導出した状態で、両端にガイドピン１１が設けられキャップ外周壁２ａより浅い凹部を有するホルダ１０内に着脱可能に納められている。
【００１７】上述の構成をもつホルダ１０に納められたキャップ１は、インクジェットヘッドのすべてのインク吐出口を覆うようにインク吐出面に密着され、大気開放側開口５を弁手段（図示せず）により閉じた後、吸引側開口４からインクを吸引する。インクジェットヘッドのインク吐出口は加圧室，共通液室を介してインクタンク（図示せず）に連通しているので、吸引側開口４から吸引されたインクは、インク吐出口を通ってキャップ１の突起３の間に入り毛細現象によりキャップ１内に残留する。インク吸引後は大気開放側開口５を大気開放しキャップ１内の圧力を大気圧として必要以上のインクを吸引することを防ぐ。
【００１８】複数の突起３は凹部２ｂ内に均一に設けてあるため、キャップ１内に残留するインク６は大量で、しかも、キャップ１内均一に収容される。従って、キャップ１内でインクからの水分蒸発量も均一であり、インクジェットヘッドのすべてのインク吐出口を均等に湿らすことが可能である（請求項１に対応）。
【００１９】複数の突起３は、キャップ本体２の凹部２ｂ内の底面に、面と直角でキャップ外周壁２ａの突起面より僅かに低く設けられているが、突起３の断面形状を円形としてキャップ本体２全体を一体に形成することにより安価なキャップ本体２を得ることが可能であり、このときのキャップ本体２の材料として弾性体，例えば、ゴムを用いることにより
キャップ外周壁２ａはノズル吐出面に好適に密着をさせることができ
突起３は、吸引側開口４よりインクを吸収して内部が負圧となったときの補強を兼ねており、吸引時のキャップ本体２の変形を防止する効果
【００２０】また、突起３の断面形状を円形ではなく、形状が簡単な長方形もしくは長円形とすることにより、突起３とキャップ本体２とを一体成形するための金型等の成形型が容易に製作が可能であり、安価なキャップ１を提供することができる。更に、突起３の形状が簡易な長方形又は長円形とすることによって、突起の数，長さ等を変更も容易となるのでインク吐出口の数などが異なる仕様変更があった場合でも安価なキャップ１を提供することができる（請求項３に対応）。
【００２１】図２は、本発明に係るインク吐出口のキャップの実施の形態の、他の例を説明するためのインク吐出口側からみた平面図である。図中，７は突起であり、図１と同様に作用をする部分には、図１の場合と同じ参照番号を付してある。
【００２２】
図２に示したキャップ１は、突起７がインク吐出口の配列された長手方向に平行な長手方向の形状をもつ複数の長方形の突起７を有するキャップ
それ以外は図１の場合と同じ
キャップ本体２の長手方向に複数平行に配列
突起７の高さは、キャップ外周壁２ａの高さよりも僅かに低くなって
【００２３】図２に示すように、
突起７は長辺がインク吐出口長手配列方向と一致する
　
　エ　「【００２６】
【発明の効果】請求項１に対応する効果，インクジェット記録ヘッドのインク吐出口を覆うためのキャップ本体と、該キャップ本体のインク吐出口側の内面に設けられ、必要に応じて前記インク吐出口内のインクを吸引するための吸引用開口、および前記キャップ本体内部を外部の圧力と同じにするための大気解放用開口を有するキャップを用いたインクジェット記録装置において、前記キャップの前記インク吐出口側内面に複数の突起を設けることによって、キャップ内の容積を小さくし、しかもキャップ内にインクが面均一に残留できる。また、
突起が補強を兼ねており、吸引時のキャップ変形を防止できる効果がある
【００２７】請求項２に対応する効果，請求項１の発明において、前記キャップのインク吐出口側内面に設けられた前記突起の形状は、断面が円形で前記キャップ本体と一体で形成するようにしたのでキャップ本体と突起とを一体に形成して加工コストを低減できる。
【００２８】請求項３に対応する効果，請求項１の発明において、前記キャップのインク吐出口側内面に設けられた前記突起の形状は、断面が長方形もしくは長円で前記キャップ本体と一体で形成するようにしたので、突起の形状が簡易になり成形全型を容易に製作できるようにして生産コストを低減できる。また、突起の数，長さ等を容易に変更でき、例えば、ノズル数が異なるなどの異なる仕様のヘッドでも容易に対応できる。
【００２９】請求項４に対応する効果，請求項３の発明において、
前記キャップのインク吐出口側内面に設けられた長方形
前記突起は、キャップの長手方向に複数列形成され、
　
　オ　上記アないしエから、引用例２には、
「インクジェット記録ヘッドのインク吐出口を覆うためのキャップ本体と、該キャップ本体のインク吐出口側の内面に設けられ、必要に応じて前記インク吐出口内のインクを吸引するための吸引用開口、および前記キャップ本体内部を外部の圧力と同じにするための大気解放用開口を有するキャップを用いたインクジェット記録装置において、
　前記キャップの前記インク吐出口側内面に、キャップ外周壁の高さよりも僅かに低い高さで、長方形の断面で、吸引側開口よりインクを吸収して内部が負圧となったときの補強を兼ねた長方形の突起を、長辺がインク吐出口長手配列方向と一致するようように、前記キャップの長手方向に形成し、吸引時のキャップ本体の変形を防止するようにしたインクジェットヘッド記録装置。」（以下「引用発明２」という。）
　
３　対比
　本願発明と引用発明１とを対比する。
（１）引用発明１の「インクジェット式記録ヘッド」、「キャップの底面と前記キャップの開口面との間」、「ノズル開口」、「封止」、「インクを排出させる負圧を供給する」、「インク吸引口」、「『キャップ部材を枠体に収容し』たインクジェット式記録ヘッドのキャッピング装置」、「キャップ部材に形成された固定部により固定」、「有孔板の長手方向に長い、所定の長さの通路」、「『前記キャップ部材に前記キャップの底面と前記キャップの開口面との間』に『収容』し、『前記キャップ部材の底面と』の『間に空間を形成』する、『前記キャップ部材の長手方向の圧力分布を調整する複数の通孔を幅方向の両側寄りに長手方向に２列有するとともに裏面に長手方向に長い所定の長さの通路を備える有孔板』」及び「『前記キャップ部材を記録ヘッドのノズルプレートに弾接させてキャッピングし吸引ポンプを作動させ』『負圧を作用させて前記有孔板の通孔を介してノズルプレートにも負圧を作用させる』ところの『キャップ部材に前記キャップの底面と前記キャップの開口面との間に前記キャップ部材の長手方向の圧力分布を調整する複数の通孔を幅方向の両側寄りに長手方向に２列有するとともに裏面に長手方向に長い所定の長さの通路を備える有孔板を収容し、前記キャップ部材の底面と前記有孔板との間』に『形成』した『空間』」は、それぞれ、本願発明の「印字ヘッド」、「凹部」、「インク吐出口」、「密閉」、「インク吸引を実行する」、「受け取ったインクを排出するためのインク排出口」、「インクジェット記録装置の吸引キャップ」、「前記凹部内に係合可能」、「所定の長さの通路」、「インク誘導部材」及び「『前記通路』が『この吸引キャップとの間に形成』した『前記インク排出口に連なる吸引通路』」に相当する。
（２）引用発明１の「吸引キャップ（キャップ部材を枠体に収容したインクジェット式記録ヘッドのキャッピング装置）」は、そのノズルプレートに密着してノズル開口を封止するキャップ部材が弾性材料からなるから、「弾性材料からなる」ものであるといえる。
　よって、引用発明１の「吸引キャップ」と本願発明１の「吸引キャップ」とは「弾性材料からなる」点で一致する。
（３）上記（１）及び（２）からみて、本願発明と引用発明１とは、
「印字ヘッドのインク吐出口を密閉する凹部を有し、インク吸引を実行するとともに、受け取ったインクを排出するためのインク排出口を備える、弾性体からなる吸引キャップであって、
　前記凹部内に係合可能であるとともに、所定の長さの通路を備えるインク誘導部材を備えており、
　該インク誘導部材がこの吸引キャップの凹部内に係合されるとき、前記通路は前記インク排出口に連なる吸引通路をこの吸引キャップとの間に形成するインクジェット記録装置の吸引キャップ。」の点で一致し、次の点で相違する。
　
相違点：
　本願発明では、前記インク誘導部材が、「樹脂製」であって、「その上面の幅方向中央部で、且つ長さ方向に一体に立設された補強リブ」を備え、該インク誘導部材がこの吸引キャップの凹部内に係合されるとき、「前記補強リブは前記凹部内で前記印字ヘッドに対向する方向に突出する」のに対して、引用発明１では、前記インク誘導部材が樹脂製であるかどうか明らかでなく、該インク誘導部材はそのような補強リブを備えていない点。
　
４　判断
　上記相違点について検討する。
（１）撥水性材料として、「撥水性樹脂」は、本願出願前に周知である（例．特開平９−３０５００３号公報（１０頁左欄１２〜１６行参照。）、特開平１０−１０１８０７号公報（６頁左欄２〜６行参照。）、特開平１１−２０１６０号公報（３頁右欄の２８〜１９行及び４４〜４５行参照。）、特開平１１−２３９７５８号公報（４頁左欄４６〜４９行参照。）、特開２０００−３５１２１６号公報（【００１６】参照。「電極基板４０は絶縁性を有する撥水性樹脂からなり」及び「電極基板４０を構成する樹脂としては表面張力が４５ｄｙｎ／ｃｍ以下のものが好ましく、具体的には…略…ポリプロピレン…略…ポリオキシメチレン…略…などが好適に用いられる。」の記載に注目。）。以下「周知技術」という。）。
（２）引用例２には、キャップのインク吐出口側内面に、キャップ外周壁の高さよりも僅かに低い高さで、長方形の断面で、吸引側開口よりインクを吸収して内部が負圧となったときの補強を兼ねた長方形の突起を、長辺がインク吐出口長手配列方向と一致するようように、前記キャップの長手方向に形成し、吸引時のキャップ本体の変形を防止するようにした発明である引用発明２が記載されている（上記「２（２）オ」参照。）。
（３）引用発明１の「インク誘導部材（有孔板）」は、「前記記録ヘッドからインクを排出させる場合には前記大気開放口を閉鎖して、前記記録ヘッドに負圧を作用させ」た際に、変形する可能性があることが当業者に自明であるから、そのキャップ部材側に有する支持部に加え、あるいは該支持部に代えて、引用発明１の「インク誘導部材（有孔板）」のインク吐出口側内面に、キャップ部材の外周壁の高さよりも僅かに低い高さで、長方形の断面で、インク吸引口よりインクを吸収して内部が負圧となったときの補強のための長方形の突起を、長辺がインク吐出口長手配列方向と一致するように、前記「インク誘導部材（有孔板）」の長手方向に形成し、吸引時の「インク誘導部材（有孔板）」の変形を防止するようにすることは、当業者が、引用発明２に基づいて容易に想到することができたことである。
（４）そして、「撥水性材料により形成され」るものである引用発明１の「インク誘導部材（有孔板）」は、複数の通孔を幅方向の両側寄りに長手方向に２列有するから、上記（３）のように、吸引時のインク誘導部材（有孔板）の変形を防止するようになす際に、インク誘導部材（有孔板）を周知の撥水性樹脂（上記（１）参照。）で形成し、前記複数の通孔を塞がないように、その幅方向中央部に前記補強のための長方形の突起を前記撥水性樹脂で一体に形成（立設）することは、当業者が引用発明２及び周知技術に基づいて容易になし得た程度のことである。
（５）したがって、引用発明１において、前記「インク誘導部材」を樹脂製となし、そのキャップ部材側に有する支持部に加え、あるいは該支持部に代えて、そのインク吐出口側内面（上面）に、キャップ部材の外周壁の高さよりも僅かに低い高さで（凹部内で）、長方形の断面で、インク吸引口よりインクを吸収して内部が負圧となったときの補強のための長方形の突起（印字ヘッドに対向する方向に突出する補強リブ）を、長辺がインク吐出口長手配列方向と一致するように、前記「インク誘導部材」の幅方向中央部にその長手方向（長さ方向）に一体に立設して、上記相違点に係る本願発明の構成となすことは、当業者が引用発明２及び周知技術に基づいて容易になし得た程度のことである。
（６）また、本願発明の奏する効果は、引用発明１の奏する効果、引用発明２の奏する効果及び周知技術の奏する効果から当業者が予測できた程度のものである。
（７）以上の検討によれば、本願発明は、当業者が、引用例１に記載された発明、引用例２に記載された発明及び周知技術に基いて容易に発明をすることができたものである。
　
５　むすび
　したがって、本願発明は、当業者が、引用例１に記載された発明、引用例２に記載された発明及び周知技術に基いて容易に発明をすることができたものであるから、特許法第２９条第２項の規定により、特許を受けることができない。
　よって、結論のとおり審決する。